(57)【要約】【課題】音声出力を伴うファイルのアクセス時に音声出力を制限可能にすることである。【解決手段】通信端末装置としての携帯電話１０において、Ｗｅｂ情報の表示中に、当該Ｗｅｂ情報に対応するファイルのアクセス指示が操作入力された場合に、当該ファイルの再生条件の設定情報を読み出し、イヤホン３０が接続されている場合に、前記設定情報に基づいて、スピーカからの音声出力を制限しイヤホン３０から音声出力して前記アクセス指示されたファイルを再生する。【選択図】図１
2005130181.tif 000002
【特許請求の範囲】
【請求項１】
外部機器と通信を行う通信部と、各種情報を表示する表示部と、各種音声情報を音声出力するスピーカと、を備える通信端末装置において、
ファイルをアクセスする場合の前記スピーカの音声出力の設定情報を記憶する記憶部と、
ファイルのアクセス指示の操作入力を受け付ける操作部と、
前記通信部を介してＷｅｂ情報の送信元から当該Ｗｅｂ情報を受信して前記表示部に表示し、前記操作部から前記Ｗｅｂ情報に含まれるファイルのアクセス指示が操作入力された場合に、前記記憶部に記憶された設定情報を読み出し、当該設定情報に基づいて前記スピーカからの音声出力を制御して前記アクセス指示されたファイルを再生する制御部と、を備えることを特徴とする通信端末装置。
【請求項２】
イヤホンを接続可能なイヤホン接続部を備え、
前記設定情報は、ファイルをアクセスする場合の前記イヤホンからの音声出力の設定情報を含み、
前記制御部は、前記操作部からファイルのアクセス指示が操作入力された場合に、前記記憶部に記憶された設定情報を読み出し、当該設定情報に基づいて前記イヤホンからの音声出力を制御して前記アクセス指示されたファイルを再生する、を備えることを特徴とする請求項１に記載の通信端末装置。
【請求項３】
前記制御部は、前記イヤホン接続部に前記イヤホンが接続されているか否かを判別し、前記イヤホンが接続されている場合に、前記設定情報に基づいて前記アクセス指示されたファイルの前記イヤホンからの音声出力を可能にすることを特徴とする請求項２に記載の通信端末装置。
【請求項４】
前記設定情報は、時間帯に基づく音声出力の設定情報を含むことを特徴とする請求項１から３のいずれか一項に記載の通信端末装置。
【請求項５】
振動により報知するバイブレータを備え、
前記設定情報は、ファイルをアクセスする場合の前記バイブレータからの振動出力の設定情報を含み、
前記制御部は、前記操作部からファイルのアクセス指示が操作入力された場合に、前記記憶部に記憶された設定情報を読み出し、当該設定情報に基づいて前記バイブレータからの振動出力を制御して前記アクセス指示されたファイルを再生することを特徴とする請求項１から４のいずれか一項に記載の通信端末装置。
【請求項６】
前記設定情報は、ファイル種類ごとに設定されることを特徴とする請求項１から５のいずれか一項に記載の通信端末装置。
【請求項７】
外部機器と通信を行う通信部と、各種情報を表示する表示部と、各種音声情報を音声出力するスピーカと、を備える機器に搭載されたコンピュータに、
ファイルをアクセスする場合の前記スピーカの音声出力の設定情報をメモリに記憶する機能と、
ファイルのアクセス操作指示を受け付ける機能と、
前記通信部を介してＷｅｂ情報の送信元から当該Ｗｅｂ情報を受信して前記表示部に表示し、前記Ｗｅｂ情報に含まれるファイルのアクセス指示が操作入力された場合に、前記メモリに記憶された設定情報を読み出し、当該設定情報に基づいて前記スピーカからの音声出力を制御して前記アクセス指示操作されたファイルを再生する機能と、
を実現させるためのファイル再生プログラム。
【発明の詳細な説明】
【技術分野】
【０００１】
本発明は、通信端末装置及びファイル再生プログラムに関する。
【背景技術】
【０００２】
従来、携帯電話に、インターネットのＷｅｂ情報にアクセスできる機能を有するものがあった。この携帯電話によれば、通信可能な場所ではどこでもＷｅｂ情報にアクセスして各種マルチメディアファイルをダウンロード可能となる。
【０００３】
また、一般的に携帯電話には、電車の中などの公共の場所で音楽ファイルなどを再生するために、イヤホンジャックが設けられる。このイヤホンジャックにイヤホンを差し込み、ユーザがイヤホンを耳につけることにより、そのユーザは、周囲に迷惑をかけることなく音楽ファイルの音楽などを聞くことができる。
【０００４】
また、携帯電話において、着呼側でマナーモード設定があった場合に、発呼側に一方通話を行わせて、着呼側で当該通話の音声出力をイヤホンから行う制御をする構成が考えられている（例えば、特許文献１参照）。
【特許文献１】特開平１１−１５５０１５号公報
【発明の開示】
【発明が解決しようとする課題】
【０００５】
しかし、上記着呼側で通話の音声出力をイヤホンから行う構成では、Ｗｅｂ情報のアクセスには対応していない。このため、例えば、公共の場所で携帯電話を用いる際、Ｗｅｂ情報のマルチメディアファイルを開いたところ、当該マルチメディアファイルが音声出力を伴うものである場合に、ユーザの意思に反して突然スピーカから音声出力がなされ、周囲に迷惑をかけるおそれがあった。
【０００６】
本発明の課題は、音声出力を伴うファイルのアクセス時にスピーカからの音声出力を制限可能にすることである。
【課題を解決するための手段】
【０００７】
以上の課題を解決するために、本発明は、外部機器と通信を行う通信部と、各種情報を表示する表示部と、各種音声情報を音声出力するスピーカと、を備える通信端末装置において、
ファイルをアクセスする場合の前記スピーカの音声出力の設定情報を記憶する記憶部と、
ファイルのアクセス指示の操作入力を受け付ける操作部と、
前記通信部を介してＷｅｂ情報の送信元から当該Ｗｅｂ情報を受信して前記表示部に表示し、前記操作部から前記Ｗｅｂ情報に含まれるファイルのアクセス指示が操作入力された場合に、前記記憶部に記憶された設定情報を読み出し、当該設定情報に基づいて前記スピーカからの音声出力を制御して前記アクセス指示されたファイルを再生する制御部と、を備えることを特徴とする。
【０００８】
また、本発明は、外部機器と通信を行う通信部と、各種情報を表示する表示部と、各種音声情報を音声出力するスピーカと、を備える機器に搭載されたコンピュータに、
ファイルをアクセスする場合の前記スピーカの音声出力の設定情報をメモリに記憶する機能と、
ファイルのアクセス操作指示を受け付ける機能と、
前記通信部を介してＷｅｂ情報の送信元から当該Ｗｅｂ情報を受信して前記表示部に表示し、前記Ｗｅｂ情報に含まれるファイルのアクセス指示が操作入力された場合に、前記メモリに記憶された設定情報を読み出し、当該設定情報に基づいて前記スピーカからの音声出力を制御して前記アクセス指示操作されたファイルを再生する機能と、
を実現させるためのファイル再生プログラムである。
【０００９】
本発明によれば、Ｗｅｂ情報を表示中にファイルのアクセス指示が操作入力された場合に、設定情報に基づいて、アクセス指示されたファイルのスピーカからの音声出力を制御するので、音声出力を伴うファイルのアクセス時にスピーカからの音声出力を制限可能にでき、例えば、スピーカ出力を行わないように設定して、スピーカ出力が制限されている場所においてＷｅｂ情報の閲覧中に、うかつに音声出力を伴うファイルにアクセスしてしまいスピーカから音声出力することによる周囲への迷惑を防ぐことができる。
【００１０】
また、例えば、イヤホンを接続可能なイヤホン接続部を備え、
前記設定情報は、ファイルをアクセスする場合の前記イヤホンからの音声出力の設定情報を含み、
前記制御部は、前記操作部からファイルのアクセス指示が操作入力された場合に、前記記憶部に記憶された設定情報を読み出し、当該設定情報に基づいて前記イヤホンからの音声出力を制御して前記アクセス指示されたファイルを再生する、を備えることとして構成してもよい。
【００１１】
また、例えば、前記制御部は、前記イヤホン接続部に前記イヤホンが接続されているか否かを判別し、前記イヤホンが接続されている場合に、前記設定情報に基づいて前記アクセス指示されたファイルの前記イヤホンからの音声出力を可能にすることとして構成してもよい。
【００１２】
また、例えば、前記設定情報は、時間帯に基づく音声出力の設定情報を含むこととして構成してもよい。
【００１３】
また、例えば、振動により報知するバイブレータを備え、
前記設定情報は、ファイルをアクセスする場合の前記バイブレータからの振動出力の設定情報を含み、
前記制御部は、前記操作部からファイルのアクセス指示が操作入力された場合に、前記記憶部に記憶された設定情報を読み出し、当該設定情報に基づいて前記バイブレータからの振動出力を制御して前記アクセス指示されたファイルを再生することとして構成してもよい。
【００１４】
また、例えば、前記設定情報は、ファイル種類ごとに設定されることとして構成してもよい。
【発明の効果】
【００１５】
本発明によれば、Ｗｅｂ情報を表示中にファイルのアクセス指示が操作入力された場合に、設定情報に基づいて、アクセス指示されたファイルのスピーカからの音声出力を制御するので、音声出力を伴うファイルのアクセス時にスピーカからの音声出力を制限可能にでき、例えば、スピーカ出力を行わないように設定して、スピーカ出力が制限されている場所においてＷｅｂ情報の閲覧中に、うかつに音声出力を伴うファイルにアクセスしてしまいスピーカから音声出力することによる周囲への迷惑を防ぐことができる。
【発明を実施するための最良の形態】
【００１６】
以下、添付図面を参照して本発明に係る好適な実施の形態を詳細に説明する。
【００１７】
まず、図１及び図２を参照して本実施の形態の装置構成を説明する。図１に、携帯電話１０の外観を示し、（ａ）にイヤホン３０を接続しない状態の携帯電話１０の外観を示し、（ｂ）にイヤホン３０を接続した状態の携帯電話１０の外観を示す。図２に、携帯電話１０の内部構成を示す。
【００１８】
図１（ａ）に示すように、本実施の形態の携帯電話１０には、後述するイヤホン接続部２５を介して、イヤホン３０が接続可能であり、図１（ｂ）に示すように、携帯電話１０にイヤホン３０が接続可能である。
【００１９】
本実施の形態では、通信端末装置として携帯電話１０を用いる構成とするが、これに限るものではない。例えば、ＰＨＳ（Personal Handyphone System）、ＰＤＡ（Personal Digital Assistants）などの他の通信端末装置でもよい。
【００２０】
次いで、携帯電話１０の内部構成を説明する。図２に示すように、携帯電話１０は、ＣＰＵ１１と、ＲＯＭ１２と、ＲＡＭ１３と、表示部としての液晶表示部１４と、操作部としてのキー入力部１５と、通信部としてのアンテナ１６及び無線部１７と、スピーカ１８と、マイク１９と、音声変換回路２０と、バイブレータ２１と、鳴音部２２と、記憶部としてのフラッシュＲＯＭ２３と、音声切替部２４と、イヤホン接続部２５と、計時部２６と、を備えて構成される。
【００２１】
ＣＰＵ１１は、携帯電話１０内の各部を中央制御する。ＣＰＵ１１は、ＲＯＭ１２に格納されているシステムプログラム及び各種アプリケーションプログラムの中から指定されたプログラムをＲＡＭ１３に展開し、ＲＡＭ１３に展開されたプログラムとの協働で、各種処理を実行する。
【００２２】
ＲＯＭ１２は、各種データ及び各種プログラムを読み出し可能に記憶する。ＲＡＭ１３は、前記指定されたプログラム、入力指示、入力データ及び処理結果などを格納するワークエリアを有し、情報を一時的に格納する。
【００２３】
液晶表示部１４は、ＣＰＵ１１から入力される各種情報を表示する。また、液晶表示部１４に代えて、ＥＬディスプレイ（ElectroLuminescent Display）などの表示部としてもよい。キー入力部１５は、ダイヤルキー（文字入力キー）、メニューキー及び各種機能キーなどの入力キーを備えて構成され、操作者（ユーザ）により押下されたキーに対応する押下信号をＣＰＵ１１に出力する。
【００２４】
無線部１７は、搬送波を音声変換回路２０から入力される通信データで変調処理し、アンテナ１６を介して無線通信信号を図示しない基地局などに発信する。また、無線部１７は、アンテナ１６を介して基地局などから受信した無線通信信号を、復調処理して通信データを取得し、その通信データを音声変換回路２０に出力する。また、無線部１７は、搬送波をＣＰＵ１１から入力される通信データで変調処理し、アンテナ１６を介して無線通信信号を基地局などに発信する。また、無線部１７は、アンテナ１６を介して基地局などから受信した無線通信信号を、復調処理して通信データを取得し、その通信データをＣＰＵ１１に出力する。つまり、無線部１７は、基地局及びアンテナ１６を介して、外部の通信データの送信先又は送信元の機器と通信接続される。
【００２５】
音声変換回路２０は、マイク１９から入力された音声信号をコード化処理して通信データに変換して無線部１７に出力する。また、音声変換回路２０は、無線部１７から入力された通信データをデコード処理して音声信号に変換して音声切替部２４に出力する。つまり、通話時に、マイク１９から入力された音声信号は、音声変換回路２０、無線部１７を順に介して無線通信信号としてアンテナ１６から発信され、当該無線通信信号が基地局を介して通話先の携帯電話などに送信される。また、通話時に、通話先の携帯電話などから基地局を介して送信された無線通信信号がアンテナ１８により受信され、無線部１７、音声変換回路２０を介して音声信号として音声切替部２４に出力される。
【００２６】
イヤホン接続部２５は、イヤホン３０を接続可能である。音声切替部２４は、音声変換回路２０から入力された音声信号をスピーカ１８又はイヤホン３０を切り替えて出力する。つまり、音声切替部２４が音声出力をスピーカ１８に切り替えた場合に、スピーカ１８から音声出力される。また、音声切替部２４が音声出力をイヤホン３０に切り替えた場合に、イヤホン接続部２５を介してイヤホン３０から音声出力される。但し、イヤホン接続部２５にイヤホン３０が接続されている場合に、音声切替部２４が音声出力をイヤホン３０に切り替え可能である。
【００２７】
バイブレータ２１は、携帯電話１０の着信時などにＣＰＵ１１からの振動指示入力により振動し、操作者に振動によって着信などを報知する。鳴音部２２は、携帯電話１０の着信時などにＣＰＵ１１からの鳴音指示により鳴音し、当該鳴音により操作者に着信などを報知する。フラッシュＲＯＭ２３は、電気的にデータの書き換えが可能な不揮発性のメモリである。
【００２８】
音声切替部２４は、スピーカ１８からの音声出力とイヤホン３０からの音声出力とを切り替える。イヤホン接続部２５は、イヤホン３０が接続された場合に、イヤホン接続信号をＣＰＵ１１に出力する。計時部２６は、現在時刻を取得して、現在時刻信号をＣＰＵ１１に出力する。
【００２９】
次に、図３を参照して、フラッシュＲＯＭ２３に記憶するデータを説明する。図３に、再生条件情報２３１の構成を示す。
【００３０】
図３に示すように、フラッシュＲＯＭ２３には、ファイル種類ごとの再生条件の設定情報を示す再生条件情報２３１が記憶される。再生条件情報２３１は、後述する再生条件情報設定処理において設定及び記憶される。
【００３１】
再生条件情報２３１は、ファイル種類２３１１と、再生条件２３１２とを有する。ファイル種類２３１１は、音声出力を伴うファイルのファイル種類であり、本実施の形態では簡単のために、音声１、音声２、音声３、音声４とする。ファイル種類の具体例としては、着信メロディなどの携帯機器の音楽配信などに用いるＳＭＡＦ（Synthetic Music Application Format）ファイル、着信ボイスなどのＱｃｅｌｐ（Qualcomm code excited linear prediction）、音声のみのＷＡＶファイル、音声を伴う動画としてのＭＰＥＧ（Moving Picture Coding Experts Group／Moving Picture Experts Group）ファイル、音声を伴うアニメーションなどのＦＬＡＳＨなどがある。
【００３２】
再生条件２３１２は、ファイル種類２３１１の各ファイルに対応して、イヤホン、時間帯及びバイブの項目が設定される。再生条件２３１２のイヤホンは、〇又は空白が設定される。〇であると、イヤホン３０からの音声出力に自動的に切り替え設定されることを示し、空白であると、スピーカ１８からの音声出力が許可設定されていることを示す。
【００３３】
再生条件２３１２の時間帯は、時間帯又は空白が設定される。例えば、１０時から１６時までを設定する場合には、「1000-1600」と表現される。時間帯であると、スピーカ１８からの音声出力がその時間帯内においてのみ有効となることを示し、空白であると、時間的な制限がないことを示す。再生条件２３１２のバイブは、〇又は空白が設定される。〇であると、スピーカ１８又はイヤホン３０の音声出力に替えてバイブレータ２１の振動出力により報知設定されることを示し、空白であると、バイブレータ２１の振動出力が設定されないことを示す。
【００３４】
次に、図４〜図６を参照して、携帯電話１０の動作を説明する。図４に、再生条件情報設定処理を示す。図５に、設定画面１４１の構成を示す。図６に、ファイル再生処理を示す。
【００３５】
図４を参照して、再生設定条件情報２３１の設定を行う再生条件情報設定処理を説明する。携帯電話１０において、キー入力部１５を介してユーザから再生条件情報設定指示が入力されたことをトリガとして、ＣＰＵ１１は、ＲＯＭ１２に記憶された再生条件情報設定プログラムを適宜読み出してＲＡＭ１３に展開し、ＣＰＵ１１とＲＡＭ１３内の再生条件情報設定プログラムとの協働により再生条件情報設定処理が実行される。
【００３６】
図４に示すように、先ず、図５に示すような設定画面１４１が液晶表示部１４に表示され、キー入力部１５を介してユーザにより入力される、ファイル種類と、当該ファイル種類に対応する再生条件（イヤホン３０からの自動音声出力設定、スピーカ１８からの音声出力可能な時間帯の設定、及びバイブレータ２１からの振動出力の設定）とが受け付けられる（ステップＳ１１）。
【００３７】
そして、ステップＳ１１において入力されたファイル種類と再生条件とを用いて、再生条件情報２３１のファイル種類２３１１と再生条件２３１２とが更新されてフラッシュメモリ２３に記憶され（ステップＳ１２）、再生条件情報設定処理が終了される。
【００３８】
次いで、図６を参照して、携帯電話１０においてＷｅｂ情報の閲覧中に各種ファイルを再生するファイル再生処理を説明する。予め、キー入力部１５を介してユーザからＷｅｂ情報の閲覧指示が入力され、当該閲覧指示に基づいてＲＯＭ１２内に記憶されたブラウザのプログラムが読み出されて起動され、Ｗｅｂ情報が液晶表示部１４に表示される。
【００３９】
そして、Ｗｅｂ情報の表示中に、キー入力部１５を介してユーザからの操作入力により、液晶表示部１４のＷｅｂ情報の画面上のファイルのダウンロード指示部分が選択操作されることなどをトリガとして、ＣＰＵ１１は、ＲＯＭ１２に記憶されたファイル再生プログラムを適宜読み出してＲＡＭ１３に展開し、ＣＰＵ１１とＲＡＭ１３内のファイル再生プログラムとの協働によりファイル再生処理が実行される。
【００４０】
先ず、選択されたファイルが、図示しないファイル管理サーバから、基地局、アンテナ部１６及び無線部１７を介してダウンロードされる（ステップＳ２１）。そして、ステップＳ２１においてダウンロードされたファイルが、音声データを含むものであるか否かが判別される（ステップＳ２２）。
【００４１】
ファイルが音声データを含む場合（ステップＳ２２；ＹＥＳ）、フラッシュＲＯＭ２３から再生条件情報２３１が読み出される（ステップＳ２３）。そして、再生条件情報２３１が参照され、ダウンロードしたファイルに対応するファイル種類２３１１の再生条件２３１２のイヤホンの項目が動作設定されているか否かが判別される（ステップＳ２４）。
【００４２】
イヤホンの項目が動作設定されていない場合（ステップＳ２４；ＮＯ）、再生条件情報２３１が参照され、ダウンロードしたファイルに対応するファイル種類２３１１の再生条件２３１２の時間帯の項目が動作設定されているか否かが判別される（ステップＳ２５）。
【００４３】
時間帯の項目が動作設定されていない場合（ステップＳ２５；ＮＯ）、ステップＳ２１においてダウンロードされたファイルが液晶表示部１４に表示されるとともに、音声切替部２４において音声出力がスピーカ１８に切り替えられ、当該ファイルの音声がスピーカ１８から出力され（ステップＳ２６）、ファイル再生処理が終了される。
【００４４】
時間帯の項目が動作設定されている場合（ステップＳ２５；ＹＥＳ）、計時部２６から現在時刻が取得され、当該現在時刻が、ダウンロードしたファイルに対応するファイル種類２３１１の再生条件２３１２の時間帯の項目内であるか否かが判別される（ステップＳ２７）。現在時刻が再生条件２３１２の時間帯の項目内である場合（ステップＳ２７；ＹＥＳ）、ステップＳ２６に移行される。
【００４５】
イヤホンの項目が動作設定されている場合（ステップＳ２４；ＹＥＳ）、イヤホン接続部２５からイヤホン接続信号の出力有無により、イヤホン接続部２５にイヤホン３０が接続されているか否かが判別される（ステップＳ２８）。
【００４６】
イヤホン接続部２５にイヤホン３０が接続されている場合（ステップＳ２８；ＹＥＳ）、音声切替部２４において音声出力がイヤホン３０に切り替えられ、ステップＳ２１においてダウンロードされたファイルが液晶表示部１４に表示されるとともに、当該ファイルの音声がイヤホン３０から出力され（ステップＳ２９）、ファイル再生処理が終了される。
【００４７】
現在時刻が再生条件２３１２の時間帯の項目内でない場合（ステップＳ２７；ＮＯ）、又はイヤホン接続部２５にイヤホン３０が接続されていない場合（ステップＳ２８；ＮＯ）、再生条件情報２３１が参照され、ダウンロードしたファイルに対応するファイル種類２３１１の再生条件２３１２のバイブの項目が動作設定されているか否かが判別される（ステップＳ３０）。
【００４８】
再生条件２３１２のバイブの項目が動作設定されている場合（ステップＳ３０；ＹＥＳ）、ステップＳ２１においてダウンロードされたファイルが液晶表示部１４に表示されるとともに、バイブレータ２１が駆動され（ステップＳ３１）、ファイル再生処理が終了される。
【００４９】
再生条件２３１２のバイブの項目が動作設定されていない場合（ステップＳ３０；ＮＯ）、ステップＳ２１においてダウンロードされたファイルが液晶表示部１４に表示されるとともに、当該ファイルの音声出力が中止され（ステップＳ３２）、ファイル再生処理が終了される。
【００５０】
ファイルが音声データを含まない場合（ステップＳ２２；ＮＯ）、ステップＳ２１においてダウンロードされたファイルが液晶表示部１４に表示されることにより通常再生され（ステップＳ３３）、ファイル再生処理が終了される。
【００５１】
以上、本実施の形態によれば、Ｗｅｂ情報を表示中にファイルの再生指示が操作入力された場合に、フラッシュＲＯＭ２３に記憶された再生条件情報２３１に基づいて、アクセス指示されたファイルのスピーカ１８からの音声出力を制御するので、ファイル種類ごとに音声出力を伴うファイルの再生時にスピーカ１８からの音声出力を制限可能にでき、例えば、スピーカ出力を行わないように設定して、スピーカ１８の音声出力が制限されている場所においてユーザがＷｅｂ情報の閲覧中に、うかつに音声出力を伴うファイルにアクセスしてしまいスピーカ１８から音声出力することによる周囲への迷惑を防ぐことができる。
【００５２】
また、再生条件情報２３１の再生条件２３１２として、イヤホン３０のイヤホン接続部２５への接続時に、ファイル種類ごとに音声出力元をスピーカ１８からイヤホン３０へ切替設定することができるので、ファイルのアクセス時にスピーカ１８から音声出力を行うことができない場合にも、スピーカ１８から音声出力することによる周囲への迷惑を防ぐことができるとともに、ユーザがイヤホン３０から出力された音声出力を聞くことができる。
【００５３】
また、イヤホン３０からの音声出力は、イヤホン３０がイヤホン接続部２５に接続されている場合に行われるので、イヤホン３０がイヤホン接続部２５に接続されていない場合の無駄な音声出力動作を防ぐことができる。
【００５４】
また、再生条件情報２３１の再生条件２３１２として、スピーカ１８から音声出力可能な時間帯を設定することができるので、ファイルのアクセス時にスピーカ１８から音声出力を行うことができない時間帯に、スピーカ１８から音声出力することによる周囲への迷惑を防ぐことができるとともに、スピーカ１８から音声出力が可能な時間帯に、スピーカ１８から音声出力を行うことができる。
【００５５】
また、再生条件情報２３１の再生条件２３１２として、スピーカ１８又はイヤホン３０からの音声出力に替えてバイブレータ２１の振動を設定することができるので、ファイルのアクセス時にスピーカ１８又はイヤホン３０から音声出力を行わない場合にも、その音声出力できない旨をバイブレータ２１の振動出力によりユーザに報知することができ、特に、スピーカ１８から音声出力することによる周囲への迷惑を防ぐことができる。
【００５６】
なお、本実施の形態では、再生条件２３１２として、スピーカ１８又はイヤホン３０からの音声出力に替えてバイブレータ２１の振動を設定する構成であったが、これに限るものではない。例えば、スピーカ１８又はイヤホン３０からの音声出力とともに、バイブレータ２１から振動出力する構成としてもよい。
【００５７】
また、本実施の形態では、再生条件２３１２として、スピーカ１８からの音声出力可能な時間帯を設定する構成であったが、これに限るものではない。例えば、再生条件２３１２として、スピーカ１８からの音声出力不可能な時間帯を設定する構成としてもよく、イヤホン３０から音声出力する時間帯を設定する構成としてもよく、イヤホン３０から音声出力しない時間帯を設定する構成としてもよい。
【００５８】
また、再生条件情報として、スピーカ１８及びイヤホン３０のうちの少なくとも１つからの音声出力のボリュームなどを設定できる構成としてもよい。また、再生条件情報として、バイブレータ２１の振動出力のパターンなどを設定できる構成としてもよい。
【００５９】
また、本実施の形態における携帯電話１０の各構成要素の細部構成、及び細部動作に関しては、本発明の趣旨を逸脱することのない範囲で適宜変更可能であることは勿論である。
【図面の簡単な説明】
【００６０】
【図１】携帯電話１０を示す外観図であり、（ａ）はイヤホン３０を接続しない状態の携帯電話１０を示す外観図であり、（ｂ）はイヤホン３０を接続した状態の携帯電話１０を示す外観図である。
【図２】携帯電話１０を示す内部構成図である。
【図３】再生条件情報２３１を示す構成図である。
【図４】再生条件情報設定処理を示すフローチャートである。
【図５】設定画面１４１を示す構成図である。
【図６】ファイル再生処理を示すフローチャートである。
【符号の説明】
【００６１】
１０  携帯電話
１１  ＣＰＵ
１２  ＲＯＭ
１３  ＲＡＭ
１４  液晶表示部
１５  キー入力部
１６  アンテナ
１７  無線部
１８  スピーカ
１９  マイク
２０  音声変換回路
２１  バイブレータ
２２  鳴音部
２３  フラッシュＲＯＭ
２４  音声切替部
２５  イヤホン接続部
２６  計時部
【図１】
2005130181.tif 000003
【図２】
2005130181.tif 000004
【図３】
2005130181.tif 000005
【図４】
2005130181.tif 000006
【図５】
2005130181.tif 000007
【図６】
2005130181.tif 000008